(57)【要約】      （修正有）【課題】時間帯で電力会社を選択する電力供給システムを提供する。【解決手段】電力引込線を介して送電される電力の電力量を計測する電力量計測部４１と、所定のタイミングで受信する電力供給元の選択情報に基づいて、計測された電力量と、選択情報に基づき特定される電力供給元の識別情報とを対応付けて記憶部に記憶するカウンタ振分部４２と、を有する電力量計測装置４を有する。また、複数の電力供給元の、時間帯毎に単位電力量当たりの料金を示した複数の料金表９２ａ、９２ｂを参照して、現時刻の時間帯で最も低い料金を示す電力供給元を選択し、選択した電力供給元の識別情報を、識別情報に基づいて、選択された電力供給元に消費した電力量を振り分ける振分部に送信する電力会社選択部９１を有する電力管理装置ＨＥＭＳ９（Ｈｏｍｅ  Ｅｎｅｒｇｙ  Ｍａｎａｇｅｍｅｎｔ  Ｓｙｓｔｅｍ）を有する。【選択図】図２
2016144370.tif 000002
【特許請求の範囲】
【請求項１】
引込線を介して送電される電力の電力量を計測する計測部と、
所定のタイミングで受信する電力供給元の選択情報に基づいて、計測された前記電力量と、前記選択情報に基づき特定される電力供給元の識別情報とを対応付けて記憶部に記憶する振分部と、
を有することを特徴とする計測装置。
【請求項２】
複数の電力供給元に対応させて複数の記憶部を有する
ことを特徴とする請求項１記載の計測装置。
【請求項３】
前記複数の電力供給元の夫々に専用であって、前記記憶部に記憶された前記電力量を該電力供給元に送信する通信ユニットを有する
ことを特徴とする請求項２記載の計測装置。
【請求項４】
電力使用量を計測する計測装置に、
引込線を介して送電される電力の電力量を計測し、
所定のタイミングで受信する電力供給元の選択情報に基づいて、計測された前記電力量を、前記選択情報に基づき特定される電力供給元の識別情報と対応付けられた記憶部に記憶する
処理を実行させることを特徴とする計測プログラム。
【請求項５】
電力使用量を計測する計測装置が、
引込線を介して送電される電力の電力量を計測し、
所定のタイミングで受信する電力供給元の選択情報に基づいて、計測された前記電力量と、前記選択情報に基づき特定される電力供給元の識別情報とを対応付けて記憶部に記憶する
処理を行うことを特徴とする計測方法。
【請求項６】
複数の電力供給元の、時間帯毎に単位電力量当たりの料金を示した複数の料金表を参照して、現時刻の時間帯で最も低い料金を示す該電力供給元を選択し、選択した該電力供給元の識別情報を、該識別情報に基づいて、選択された該電力供給元に消費した電力量を振り分ける振分部に送信する選択部
を有することを特徴とする電力管理装置。
【発明の詳細な説明】
【技術分野】
【０００１】
本発明は、計測装置、プログラム、方法、及び、電力管理装置に関する。
【背景技術】
【０００２】
電力発電に関する環境の保護及び改善に貢献するとして、太陽光、風力等の自然エネルギーによる電力の利用が推奨されている。また、安定的に需要に応じることができる、原子力発電、火力発電等は、継続的に重要な電力源である。
【０００３】
一方、製造者等の電力需要者は、自然エネルギーによる電力を含めて種々の電力源から、安価な電力源を選択する傾向にある。消費した電力のうち、実際に利用した自然エネルギーによる電力量を取得するために、製品を製造する際に用いた電力源別の電力量をデータベースに保存し、データベースを参照することで、自然エネルギーによる電力量を取得する技術等が知られている。
【先行技術文献】
【特許文献】
【０００４】
【特許文献１】特開２００６−３１１６７５号公報
【発明の概要】
【発明が解決しようとする課題】
【０００５】
電力市場の活性化を目的として政府レベルで行われる電力関連の規制緩和、即ち、電力自由化が我が国で進められている。この電力の規制緩和は、段階的に行われるものであるが、電力小売事業の自由化等が含まれている。将来において、時間帯で電力会社を選択する利用形態が、一般家庭、商店等の小口需要家で望まれると予想される。
【０００６】
しかしながら、上述した技術では、小口需要家における電力供給の設備において、電力会社を選択し、使用量に応じて、選択した事業者夫々に支払う料金情報を得ることができない。
【０００７】
したがって、１つの側面では、本発明は、時間帯で電力会社を選択可能な電力量の計測を行なうことを目的とする。
【課題を解決するための手段】
【０００８】
一態様によれば、引込線を介して送電される電力の電力量を計測する計測部と、所定のタイミングで受信する電力供給元の選択情報に基づいて、計測された前記電力量と、前記選択情報に基づき特定される電力供給元の識別情報とを対応付けて記憶部に記憶する振分部と、を有する計測装置が提供される。
【０００９】
また、上記課題を解決するための手段として、計測プログラム、及び、計測方法とすることもできる。
【００１０】
また、別の一態様によれば、複数の電力供給元の、時間帯毎に単位電力量当たりの料金を示した複数の料金表を参照して、現時刻の時間帯で最も低い料金を示す該電力供給元を選択し、選択した該電力供給元の識別情報を、該識別情報に基づいて、選択された該電力供給元に消費した電力量を振り分ける振分部に送信する選択部を有する電力管理装置が提供される。
【発明の効果】
【００１１】
時間帯で電力会社を選択可能な電力量の計測を行なうことができる。
【図面の簡単な説明】
【００１２】
【図１】電力供給システムの例を示す図である。
【図２】本実施例に係る第１の機能構成例を示す図である。
【図３】第１の機能構成例における、電力量計測装置のハードウェア構成を示す図である。
【図４】ＨＥＭＳのハードウェア構成を示す図である。
【図５】料金表のデータ例を示す図である。
【図６】対応表のデータ例を示す図である。
【図７】ＤＲアグリゲータのハードウェア構成を示す図である。
【図８】処理シーケンスを示す図である。
【図９】最安値の電力会社の選択処理を説明するためのフローチャート図である。
【図１０】カウンタ振分処理を説明するためのフローチャート図である。
【図１１】本実施例に係る第２の機能構成例を示す図である。
【図１２】第２の機能構成例における、電力量計測装置のハードウェア構成を示す図である。
【発明を実施するための形態】
【００１３】
以下、本発明の実施の形態を図面に基づいて説明する。一般家庭、商店等の小口需要家への電力供給システム１０００について図１で説明する。図１は、電力供給システムの例を示す図である。
【００１４】
図１において、電力供給システム１０００は、複数の発電所２と、電力量計測装置４と、分電盤５と、ＤＲ（Demand Response）アグリゲータ７と、ＨＥＭＳ（Home Energy Management System）９とを有する。
【００１５】
複数の発電所２は、複数の電力会社Ａ、Ｂ、・・・による発電所である。各発電所２は、電力を系統３を介して、各小口需要家の需要家宅１０へ電力を供給する。系統３は、送電及び配電網を構成する変電所、電柱、トランス等含む。
【００１６】
電力量計測装置４は、系統３からの電力供給を受け、需要家宅１０にて消費された電力を計測する装置であり、スマートメータに相当する。電力量計測装置４は、電力量をデジタルに計測し、内部の通信機能を用いて測定値を電力会社のシステムに送信する。また、電力量計測装置４は、リアルタイムで電力量を測定するため、表示パネル等に測定した現在の電力量を示すことで電力の見える化を可能とする。更に、電力量計測装置４にリモート切断機能、ＨＥＭＳ９等との連携機能を備えるようにしてもよい。
【００１７】
分電盤５は、需要家宅１０内のコンセント、スイッチ等の宅内配線に安全に電力を供給する。
【００１８】
ＤＲアグリゲータ７は、電力供給側である各電力会社Ａ、Ｂ等から需要家に対して通知されるデマンドレスポンス（ＤＲ）を、一般家庭、商店等の小口需要家の各々に直接通知するのは合理的ではないことから、各電力会社Ａ、Ｂ等と、各小口需要家との間に位置して、需要家向けのデマンドレスポンスを一括して受け、小口需要家に再配分する装置である。ＤＲアグリゲータ７は、専用の事業者に設置され、通信ネットワーク８を介して、需要家宅１０のＨＥＭＳ９と通信を行う。通信ネットワーク８は、インターネット等である。
【００１９】
デマンドレスポンス（ＤＲ）は、電力を安定供給するために、電力供給側から需要家側の電力消費をコントロールすることである。時間帯別の電気料金に代表される「料金型」と、節電に対して対価を支払う「インセンティブ型」がある。料金型にはＣＰＰ（Critical Peak Pricing）、ＲＴＰ（Real-Time-Pricing）等がある。
【００２０】
ＣＰＰは、「緊急ピーク型課金」を意味し、時間帯別の電力料金が供給側から提示される。電力のひっ迫が予想される場合は、通常のピーク時間帯に比べ、極端に高い料金（たとえば３倍程度）を呈示することにより電力需要を抑える。
【００２１】
ＲＴＰは、「リアルタイム料金」を意味し、卸電力市場における前日価格やリアルタイム市場の前日予測値を元に、時間帯を細かく区切った料金を算定して通知することにより、電力消費を電力使用量のピークとボトムの差を抑えて平準化する。
【００２２】
ＨＥＭＳ９は、住宅向けエネルギー（主に電力）管理システムに相当する。ＨＥＭＳ９は、電力使用量を可視化し、節電のための機器の制御、太陽光発電システムや蓄電池等の制御を可能とする宅内装置である。
【００２３】
以下、本実施例では、小口需要家が電力会社Ａ及びＢと契約した場合で説明するが、２社以上の電力会社と契約した場合でも、本実施例を適用可能である。
【００２４】
図２は、本実施例に係る第１の機能構成例を示す図である。図２において、電力量計測装置４は、電力量計測部４１と、カウンタ振分部４２と、カウンタ４３と、通信ユニット４４とを有する。また、ＨＥＭＳ９は、電力会社選択部９１と、料金表９２と、対応表９３とを有する。
【００２５】
ＨＥＭＳ９の構成から説明する。電力会社選択部９１は、料金表９２を参照して、現在時刻を含む時間帯において、電気料金が最も安い電力会社を選択し、選択した電力会社専用のカウンタ４３を特定する選択情報９５を電力量計測装置４のカウンタ振分部４２へ通知する。選択情報９５は、各電力会社で専用のカウンタ４３と接続しているカウンタ振分部４２のスロット番号を示せばよい。
【００２６】
各料金表９２は、ＤＲアグリゲータ７から受信した各電力会社からの時間帯毎に単位電力量当たりの料金を示した表データである。例えば、電力会社Ａの料金表９２ａ、電力会社Ｂの料金表９２ｂ等である。
【００２７】
対応表９３は、電力量計測装置４のカウンタ振分部４２が切り替えるカウンタ４３を特定する選択情報９５と、契約している電力会社名とを対応付けた表データである。
【００２８】
電力量計測装置４の構成について説明する。電力量計測部４１は、消費電力を計測する電力量センサ等である。カウンタ振分部４２は、ＨＥＭＳ９の電力会社選択部９１から通知された選択情報９５に基づいて、複数のカウンタ４３から１つを選択し、カウンタ値を設定する。
【００２９】
カウンタ４３は、電力会社Ａ、Ｂ毎に設置される。ここでは、電力会社Ａ、Ｂ夫々のカウンタをカウンタ４３ａ、４３ｂで示す。各カウンタ４３に設定されたカウンタ値は、所定間隔で通信ユニット４４によって電力会社へ通知される。
【００３０】
電力会社へ通知する所定間隔が料金体系を示す時間帯と同じ場合には、カウンタ値は、時間帯で消費した電力量を示せばよい。所定間隔が時間帯より長い間隔の場合、カウンタ値には、選択された時間帯又は時間帯を特定可能な情報と、消費された電力量とが設定されればよい。
【００３１】
通信ユニット４４は、電力会社Ａ、Ｂ毎に設置される。ここでは、電力会社Ａ、Ｂ夫々の通信ユニットを通信ユニット４４ａ、４４ｂで示す。通信ユニット４４は、需要家宅１０が契約した各電力会社によって、電力量計測装置４に設置され、電力会社専用のカウンタ４３から、所定間隔で値を読み出して、電力会社へ送信する。カウンタ４３の値の読み出し毎に、カウンタ４３をリセットしてもよい。
【００３２】
図３は、第１の機能構成例における、電力量計測装置のハードウェア構成を示す図である。図３では、電力量計測装置４の電力量計測部４１とカウンタ振分部４２とは、一つのコンピュータ装置１で実現する構成例を示すが、この構成例に限定するものではない。
【００３３】
コンピュータ装置１は、電力量計測部４１と、ＣＰＵ４２ａと、メモリ４２ｂと、フラッシュメモリ４２ｃと、近距離無線通信ユニット４２ｄと、複数のスロット４２ｅとを有する。
【００３４】
ＣＰＵ４２ａは、メモリ４２ｂに格納されたプログラムに従ってコンピュータ装置１を制御する。ＣＰＵ４２ａによって行われる処理には、ＨＥＭＳ９が指定する選択情報９５に基づいて、スロット４２ｅを選択し、電力量計測部４１が計測した電力量をカウンタ４３に記憶する処理を含む。
【００３５】
メモリ４２ｂには、ＣＰＵ４２ａにて実行されるプログラム、ＣＰＵ４２ａでの処理に必要なデータ等を記憶する。
【００３６】
フラッシュメモリ４２ｃは、各種処理に係るデータ等を格納する。格納されるデータ例として、ＨＥＭＳ９から指示されたスロット４２ｅを特定する選択情報９５、電力量計測部４１が計測した電力量の値等である。
【００３７】
近距離無線通信ユニット４２ｄは、ＨＥＭＳ９とＷｉＦｉ（登録商標）、ＺｉｇＢｅｅ（登録商標）、Ｂｌｕｅｔｏｏｔｈ（登録商標）等の近距離無線通信を行う。
【００３８】
複数のスロット４２ｅは、各電力会社のカウンタ４３が接続される。電力会社とカウンタ４３との対応付けは、ＨＥＭＳ９で管理される。複数のスロット４２ｅのうち、この例では、電力会社Ａのカウンタ４３ａはスロット＃１に接続され、電力会社Ｂのカウンタ４３ｂはスロット＃２に接続される。
【００３９】
電力量計測部４１とカウンタ振分部４２とを個別の装置としてもよい。この場合、電力量計測部４１に近距離無線通信ユニットを備えるようにし、電力量計測部４１とカウンタ振分部４２とで通信を可能とすればよい。
【００４０】
各通信ユニット４４は、各電力会社から提供される装置である。この例では、通信ユニット４４ａは電力会社Ａと専用に通信し、通信ユニット４４ｂは電力会社Ｂと専用に通信する。
【００４１】
各通信ユニット４４は、ＣＰＵ４４ａと、メモリ４４ｂと、フラッシュメモリ４４ｃと、インタフェース４４ｄと、無線ＬＡＮユニット４４ｅとを有し、それらは互いにバスを介して接続されている。
【００４２】
ＣＰＵ４４ａは、メモリ４４ｂに格納されたプログラムに従ってコンピュータ装置１を制御する。ＣＰＵ４４ａによって行われる処理には、インタフェース４４ｄを介してカウンタ４３からカウンタ値を取得して、予め定められた電力会社と、無線ＬＡＮユニット４４ｅを介して通信することにより、カウンタ値を含む請求に係る情報を送信する処理を含む。
【００４３】
メモリ４４ｂには、ＣＰＵ４２ａにて実行されるプログラム、ＣＰＵ４４ａでの処理に必要なデータ、ＣＰＵ４４ａでの処理にて得られたデータ等を記憶又は一時保存する。
【００４４】
フラッシュメモリ４４ｃは、各種処理に係るデータ等を格納する。格納されるデータ例として、カウンタ４３から読み出したカウンタ値等である。
【００４５】
無線ＬＡＮユニット４４ｅは、ＷｉＦｉ（登録商標）等の近距離無線通信で、カウンタ値に基づく課金情報を予め定められた電力会社へ送信する。
【００４６】
図４は、ＨＥＭＳのハードウェア構成を示す図である。図４において、ＨＥＭＳ９は、コンピュータ装置であって、ＣＰＵ９ａと、メモリ９ｂと、ハードディスク９ｃと、近距離無線通信ユニット９ｄと、ネットワークカード９ｅとを有する。
【００４７】
ＣＰＵ９ａは、メモリ９ｂに格納されたプログラムに従ってＨＥＭＳ９を制御する。ＣＰＵ９ａが行う処理には、現在時刻で最も割安な電力会社を選択し、近距離無線通信ユニット９ｄに、カウンタ振分部４２へ送信させる処理を含む。
【００４８】
メモリ９ｂには、ＣＰＵ９ａにて実行されるプログラム、ＣＰＵ９ａでの処理に必要なデータ等を記憶する。
【００４９】
ハードディスク９ｃは、各種処理に係るプログラム、データ等を格納する。例えば、各電力会社から提供される料金表９と、選択情報９５と電力会社名とを対応付けた対応表９３とが、ハードディスク９ｃに格納される。近距離無線通信ユニット９ｄは、カウンタ振分部４２とで、ＷｉＦｉ（登録商標）、ＺｉｇＢｅｅ（登録商標）、Ｂｌｕｅｔｏｏｔｈ（登録商標）等の近距離無線通信を行い、ＣＰＵ９ａの制御の下で、選択した電力会社のカウンタを特定した選択情報９５をカウンタ振分部４２へ通知する。
【００５０】
ネットワークカード９ｅは、通信機能を有し、通信ネットワーク８を介して、ＤＲアグリゲータ７から料金表９２を受信する。ＣＰＵ９ａの制御の下で、ネットワークカード９ｅを介して、ＤＲアグリゲータ７から、各電力会社の料金表９２を受信し、受信した各電力会社の料金表９２は、ハードディスク９ｃに格納される。
【００５１】
図５は、料金表のデータ例を示す図である。図５において、料金表９２は、時間帯毎に課金する料金を対応付けたテーブルであって、時間帯（from）、時間帯（to）、電力料金（円／ｋＷｈ）等の項目を有する。
【００５２】
時間帯（from）は、時間帯の開示時刻を示す。時間帯（to）は、時間帯の終了時刻を示す。電力料金（円／ｋＷｈ）は、時間帯（from）及び時間帯（to）で特定される時間帯で電力会社が指定された場合に請求する金額を示す。
【００５３】
電力会社Ａの料金表９２ａでは、時間帯（from）及び時間帯（to）で示される時間帯０：００から０：３０までの料金は、「２３．２」円／ｋＷｈであること等が示されている。電力会社Ｂの料金表９２ｂも同様である。
【００５４】
図６は、対応表のデータ例を示す図である。図６において、対応表９３は、電力量計測装置４のカウンタ４３を特定する選択情報９５と電力会社名とを対応付けたテーブルであって、選択情報、電力会社名等の項目を有する。
【００５５】
選択情報は、カウンタ４３を特定する情報であり、例えば、カウンタ振分部４２のスロット番号を示してもよい。電力会社名は、需要家宅１０が契約をしている電力会社を特定する情報であり、社名等であればよい。
【００５６】
この例では、選択情報「＃１」によりカウンタ振分部４２のスロット４２ｅのうちスロット＃１が、「ＡＢＣ電力会社」のカウンタ４３ａに対応していることを示している。また、選択情報「＃２」によりカウンタ振分部４２のスロット４２ｅのうちスロット＃２が、「ＥＦＧ電力会社」のカウンタ４３ｂに対応していることを示している。
【００５７】
図７は、ＤＲアグリゲータのハードウェア構成を示す図である。図７において、ＤＲアグリゲータ７は、コンピュータ装置であって、ＣＰＵ７ａと、メモリ７ｂと、ハードディスク７ｃと、ネットワークカード７ｄとを有する。
【００５８】
ＣＰＵ７ａは、メモリ７ｂに格納されたプログラムに従ってＤＲアグリゲータ７を制御する。ＣＰＵ７ａが行う処理には、ハードディスク７ｃに予め記憶した各電力会社の料金表９２と、必要な料金表９２を配信するための、需要家宅１０毎に契約した電力会社の名称（電力会社名）を示す配信表とを参照して、需要家宅１０毎に、契約した電力会社の料金表９２を、料金表９２が適用される前日までに、ネットワークカード７ｄを介して、需要家宅１０のＨＥＭＳ９に送信する処理を含む。
【００５９】
メモリ７ｂには、ＣＰＵ７ａにて実行されるプログラム、ＣＰＵ７ａでの処理に必要なデータ等を記憶する。
【００６０】
ハードディスク７ｃは、各種処理に係るプログラム、データ等を格納する。電力会社Ａ、Ｂを含む複数の電力会社の各料金表９２と、料金表９２の配信で参照される配信表とが、ハードディスク７ｃに記憶される。
【００６１】
ネットワークカード７ｄは、通信機能を有し、通信ネットワーク８を介して、ＣＰＵ７ａの制御の下で、各需要家宅１０のＨＥＭＳ９へ料金表９２を配信する。
【００６２】
次に、本実施例における処理シーケンスについて説明する。図８は、処理シーケンスを示す図である。図８において、各電力会社８１は、時間帯別に料金を示した料金表９２を含むデマンドレスポンスを、各ＤＲアグリゲータ７に行う（ステップＳ１０）。
【００６３】
各ＤＲアグリゲータ７は、各ＨＥＭＳ９に対して、需要家宅１０が契約している電気会社８１の料金表９２を含むデマンドレスポンスを、料金表９２の適用される日の前日までに送信する（ステップＳ１１）。
【００６４】
ＨＥＭＳ９は、各時間帯の境界時刻になると、当日適用の料金表９２を参照して、最安値の電力会社を特定し、対応表９３を参照して、特定した電力会社に対応する選択情報９５を取得する。そして、ＨＥＭＳ９は、カウンタ振分部４２に最安電力会社通知によって選択情報９５を通知する（ステップＳ１２）。
【００６５】
次に、ＨＥＭＳ９が行う最安値の電力会社の選択処理について説明する。図９は、最安値の電力会社の選択処理を説明するためのフローチャート図である。図９において、ＨＥＭＳ９は、現在時刻が時間帯の境界か否かを判断する（ステップＳ２１）。時間帯の境界でない場合、ＨＥＭＳ９は、所定間隔でステップＳ２１を繰り返す。
【００６６】
時間帯の境界の場合、ＨＥＭＳ９は、契約した複数の電力会社の料金表９２を参照し、現在時刻から始まる時間帯の電気料金が最も安い電力会社を特定する（ステップＳ２２）。そして、ＨＥＭＳ９は、対応表９３を参照して、特定した電力会社に対応する選択情報９５を電力量計測装置４のカウンタ振分部４２に送信する（ステップＳ２３）。
【００６７】
次に、カウンタ振分部４２によるカウンタ振分処理について説明する。図１０は、カウンタ振分処理を説明するためのフローチャート図である。図１０において、カウンタ振分部４２は、ＨＥＭＳ９から選択情報９５を受信すると（ステップＳ５１）、選択情報９５をフラッシュメモリ４２ｃに記憶して、カウンタ４３を特定する（ステップＳ５２）。
【００６８】
カウンタ振分部４２は、電力量計測部４１から電力量を取得して、カウンタ選択時の電力量としてフラッシュメモリ４２ｃに記憶する（ステップＳ５３）。そして、カウンタ振分部４２は、所定間隔で、現在の電力量とカウンタ選択時の電力量との差分を、選択されているカウンタ４３に記憶する（ステップＳ５４）。
【００６９】
上述した第１の機能構成例では、各電力会社の通信ユニット４４とカウンタ振分部４２との間に各電力会社に専用のカウンタ４３を備える構成であったが、通信ユニット４４とカウンタ４３とを備えた、各電力会社専用の専用計測器４５として構成してもよい。
【００７０】
図１１は、本実施例に係る第２の機能構成例を示す図である。図１１において、電力量計測装置４は、電力量計測部４１と、カウンタ振分部４２と、専用計測器４５とを有する。また、ＨＥＭＳ９は、電力会社選択部９１と、料金表９２と、対応表９３とを有する。専用計測器４５以外は、図２に示す第１の機能構成例と同様であるので、その説明を省略する。
【００７１】
専用計測器４５は、各電力会社によって設置される電力会社専用の計測器であり、電力会社との間専用で通信する通信ユニット４４と、利用した電力量をカウントするカウンタ４３とを有する。通信ユニット４４及びカウンタ４３は、図２の第１の機能構成例と同様であるため、その説明を省略する。
【００７２】
カウンタ振分部４２は、ＨＥＭＳ９の電力会社選択部９１から受信した選択情報９５に基づいて、専用計測器４５を選択して通信し、選択されている間の電力量を通知する。
【００７３】
図１２は、第２の機能構成例における、電力量計測装置のハードウェア構成を示す図である。図１２では、カウンタ振分部４２と各電力会社の専用計測器４５との間は無線通信により接続されている点で、図３のハードウェア構成とは異なっている。
【００７４】
カウンタ振分部４２は、スロット４２ｅの代わりに、各電力会社の専用計測器４５と無線通信を行うユニット間インタフェース４２ｆを有する。この例では、電力会社Ａの専用計測器４４ａとは、ユニット間インタフェース＃１を介して行い、電力会社Ｂの専用計測器４４ｂとは、ユニット間インタフェース＃２を介して行う。
【００７５】
従って、選択情報９５は、この構成では、ユニット間インタフェース４２ｆの１つを特定するものである。
【００７６】
各専用計測器４５は、カウンタ４３と接続するインタフェース４４ｄの代わりに、カウンタ振分部４２と通信するためのユニット間インタフェース４４ｆを有する。ユニット間インタフェース４４ｆを介して、カウンタ振分部４２から受信した電力量の情報に基づいて、フラッシュメモリ４４ｃ内のカウンタ４３に格納する。フラッシュメモリ４４ｃのカウンタ４に格納された電力量の情報が、無線ＬＡＮユニット４４ｅによって、各電力会社へ送信される。
【００７７】
具体的には、電力会社Ａの専用計測器４４ａのフラッシュメモリ４４ｃはカウンタ４３ａを含み、カウンタ振分部４２のユニット間インタフェース＃１から送信された電力量の情報は、ユニット間インタフェース４４ｆを介して受信されて、フラッシュメモリ４４ｃのカウンタ４３ａに格納される。
【００７８】
上述したように、本実施例では、複数の電力会社と契約した場合に、時間帯別の料金を比較して、時間帯毎に最も安価な料金を提示している電力会社を選択する。従って、消費電力全体に対して最も安価な利用形態とすることができる。
【００７９】
本発明は、具体的に開示された実施例に限定されるものではなく、特許請求の範囲から逸脱することなく、主々の変形や変更が可能である。
【００８０】
以上の実施例を含む実施形態に関し、更に以下の付記を開示する。
（付記１）
引込線を介して送電される電力の電力量を計測する計測部と、
所定のタイミングで受信する電力供給元の選択情報に基づいて、計測された前記電力量と、前記選択情報に基づき特定される電力供給元の識別情報とを対応付けて記憶部に記憶する振分部と、
を有することを特徴とする計測装置。
（付記２）
複数の電力供給元に対応させて複数の記憶部を有する
ことを特徴とする付記１記載の計測装置。
（付記３）
前記複数の電力供給元の夫々に専用であって、前記記憶部に記憶された前記電力量を該電力供給元に送信する通信ユニットを有する
ことを特徴とする付記２記載の計測装置。
（付記４）
電力使用量を計測する計測装置に、
引込線を介して送電される電力の電力量を計測し、
所定のタイミングで受信する電力供給元の選択情報に基づいて、計測された前記電力量と、前記選択情報に基づき特定される電力供給元の識別情報とを対応付けて記憶部に記憶する
処理を実行させることを特徴とする計測プログラム。
（付記５）
電力使用量を計測する計測装置が、
引込線を介して送電される電力の電力量を計測し、
所定のタイミングで受信する電力供給元の選択情報に基づいて、計測された前記電力量と、前記選択情報に基づき特定される電力供給元の識別情報とを対応付けて記憶部に記憶する
処理を行うことを特徴とする計測方法。
（付記６）
複数の電力供給元の、時間帯毎に単位電力量当たりの料金を示した複数の料金表を参照して、現時刻の時間帯で最も低い料金を示す該電力供給元を選択し、選択した該電力供給元の識別情報を、該識別情報に基づいて、選択された該電力供給元に消費した電力量を振り分ける振分部に送信する選択部
を有することを特徴とする電力管理装置。
（付記７）
電力を管理する電力管理装置が、
複数の電力供給元の、時間帯毎に単位電力量当たりの料金を示した複数の料金表を参照して、現時刻の時間帯で最も低い料金を示す該電力供給元を選択し、
選択した該電力供給元の識別情報を、該識別情報に基づいて、選択された該電力供給元に消費した電力量を振り分ける振分部に送信する
処理を行う電力管理方法。
【符号の説明】
【００８１】
２      発電所、          ３      系統
４      電力量計測装置、  ５      分電盤
６      宅内配線      、  ７      ＤＲアグリゲータ
８      通信ネットワーク、  ９      ＨＥＭＳ
１０    需要家宅、
４１    電力量計測部、
４２    カウンタ振分部、
４２ａ  ＣＰＵ、          ４２ｂ  メモリ
４２ｃ  フラッシュメモリ  ４２ｄ  近距離無線通信ユニット
４２ｅ  スロット、        ４２ｇ  バス
４２ｆ  ユニット間インタフェース
４３    カウンタ、
４４    通信ユニット、
４４ａ  ＣＰＵ、          ４４ｂ  メモリ
４４ｃ  フラッシュメモリ、４４ｄ  インタフェース
４４ｅ  無線ＬＡＮユニット
４４ｆ  ユニット間インタフェース
９１    電力会社選択部、
９２    料金表、          ９３    対応表
９５    選択情報
【図１】
2016144370.tif 000003
【図２】
2016144370.tif 000004
【図３】
2016144370.tif 000005
【図４】
2016144370.tif 000006
【図５】
2016144370.tif 000007
【図６】
2016144370.tif 000008
【図７】
2016144370.tif 000009
【図８】
2016144370.tif 000010
【図９】
2016144370.tif 000011
【図１０】
2016144370.tif 000012
【図１１】
2016144370.tif 000013
【図１２】
2016144370.tif 000014